(57)【要約】【課題】刃物として使用されないときに刃が露出した状態が維持されることを防止するカバー付き刃物を提供する。【解決手段】作業者が把持する把持部材と、前記把持部材から突出させて設けられた刃部材と、前記刃部材が備える刃を収容可能なカバーと、前記刃が露出する露出位置に前記カバーが移動されて所定時間経過した後に当該カバーを前記露出位置から前記刃が収容される収容位置に前記カバーを移動させる移動機構と、を備えている。【選択図】  図１
2018082654.tif 000002
【特許請求の範囲】
【請求項１】
作業者が把持する把持部材と、
前記把持部材から突出させて設けられた刃部材と、
前記刃部材が備える刃を収容可能なカバーと、
前記刃が露出する露出位置に前記カバーが移動されて所定時間経過した後に当該カバーを前記露出位置から前記刃が収容される収容位置に移動させる移動機構と、
を備えていることを特徴とするカバー付き刃物。
【請求項２】
前記移動機構は、前記カバーが前記露出位置に移動されることにより回動する回動部材と、
前記回動部材と同軸に設けられ前記カバーと係合して回動することにより前記カバーを移動させるカムと、
を有し、
前記回動部材は、所定量回動することにより前記カムと係合することを特徴とする請求項１に記載のカバー付き刃物。
【請求項３】
前記カムの回動を規制する規制機構を有し、
前記回動部材は、回動して前記カムと係合する前に前記規制機構を解除する解除部を有することを特徴とする請求項２に記載のカバー付き刃物。
【請求項４】
前記カバーが前記収容位置に移動する前に、前記カバーが前記収容位置に移動する旨を報知する報知部を有することを特徴とする請求項１乃至請求項３のいずれかに記載のカバー付き刃物。
【請求項５】
前記カバーは、前記報知部により当該カバーが前記収容位置に移動する旨が報知された後の方が、報知される前より速く移動することを特徴とする請求項４に記載のカバー付き刃物。
【発明の詳細な説明】
【技術分野】
【０００１】
本発明は、刃を収容可能なカバーを備えたカバー付き刃物に関する。
【背景技術】
【０００２】
従来、カバー付き刃物としては、例えば、柄部、柄部に固定された刃部、及び、刃部の刃先を覆う伸長位置と刃先を露出させる収縮位置との間で伸縮可能なカバーを備えた鎌が知られている（例えば、特許文献１参照）。この鎌は、ロック機構により収縮位置にカバーが保持され、柄部に設けられた把持圧を検出する圧力手段により把持圧が所定値以下になるとロック機構が解除されてカバーが伸長位置に移動するように構成されている。より具体的には、作業者が柄部から手を離したときにロック機構が解除されてカバーが刃先を覆うように構成されている。
【先行技術文献】
【特許文献】
【０００３】
【特許文献１】特開２０１３−１２３３９６号公報
【発明の概要】
【発明が解決しようとする課題】
【０００４】
しかしながら、軽伐採や山間部巡視などの際に僅かな距離を移動するときには、柄部を把持したまま移動する場合がある。このような僅かな移動の際であっても、近づいてくる虫を、持っている鎌で追い払う、或いは、茂った草木を、持っている鎌によりかき分けることがある。このため、刃先が露出した鎌が振り回される虞があるため作業者が受傷する虞があるという課題がある。
そこで、本発明は、刃物として使用されないときに刃が露出した状態が維持されることを防止するカバー付き刃物を提供することを目的とする。
【課題を解決するための手段】
【０００５】
前述した課題を解決する主たる本発明は、作業者が把持する把持部材と、前記把持部材から突出させて設けられた刃部材と、前記刃部材が備える刃を収容可能なカバーと、前記刃が露出する露出位置に前記カバーが移動されて所定時間経過した後に当該カバーを前記露出位置から前記刃が収容される収容位置に移動させる移動機構と、を備えていることを特徴とするカバー付き刃物である。
【０００６】
このようなカバー付き刃物によれば、刃が露出する露出位置にカバーが移動されて所定時間経過した後に、刃が収容される収容位置に当該カバーが移動されるので、刃物として使用されないときに刃が露出した状態が維持されることを防止することが可能である。
【０００７】
かかるカバー付き刃物であって、前記移動機構は、前記カバーが前記露出位置に移動されることにより回動する回動部材と、前記回動部材と同軸に設けられ前記カバーと係合して回動することにより前記カバーを移動させるカムと、を有し、前記回動部材は、所定量回動することにより前記カムと係合することが望ましい。
【０００８】
このようなカバー付き刃物によれば、カバーが露出位置に移動されることにより回動する回動部材は、所定量回動することにより、カムと係合してカバーを移動させるので、回動部材が所定量回動するまでは、少なくとも刃が露出している。このため、所定量回転するまでは、カバー付き刃物を使用することが可能である。
【０００９】
かかるカバー付き刃物であって、前記カムの回動を規制する規制機構を有し、前記回動部材は、回動して前記カムと係合する前に前記規制機構を解除する解除部を有することが望ましい。
【００１０】
このようなカバー付き刃物によれば、カムの回動を規制する規制機構を有しているので、規制部材によりカムの回動が規制されている間は刃が露出している状態を維持しておくことが可能であり、刃物として使用することが可能である。また、規制機構は、回動部材とカムとが係合する前に解除部より係合が解除されるので、確実にカバーを回動させることが可能である。
【００１１】
かかるカバー付き刃物であって、前記カバーが前記収容位置に移動する前に、前記カバーが前記収容位置に移動する旨を報知する報知部を有することが望ましい。
【００１２】
このようなカバー付き刃物によれば、カバーが収容位置に移動する前に、カバーが収容位置に移動する旨を報知するので、誤って刃とカバーとの間に挟まれることを防止することが可能である。
【００１３】
かかるカバー付き刃物であって、前記カバーは、前記報知部により当該カバーが前記収容位置に移動する旨が報知された後の方が、報知される前より速く移動することが望ましい。
【００１４】
このようなカバー付き刃物によれば、カバーが収容位置に移動する旨が報知された後の方が、報知される前より速く移動するので、報知されてカバーが収容位置に移動することが認識された後に、カバーの移動速度を高めることにより、誤って刃とカバーとの間に挟まれる可能性を低減するとともに、より短時間で刃を収容することが可能である。
【発明の効果】
【００１５】
本発明によれば、刃物として使用されないときに刃が露出した状態が維持されることを防止するカバー付き刃物を提供することが可能になる。
【図面の簡単な説明】
【００１６】
【図１】本実施形態に係るカバー付き鎌の一例を示す外観図である。
【図２】移動機構の構成を示す分解斜視図である。
【図３】カバーが収容位置に位置している状態を示す図である。
【図４】カバーが露出位置に位置している状態を示す図である。
【図５】カバーが移動する前に規制部材が解除された状態を示す図である。
【図６】カバーが移動し始める状態を示す図である。
【図７】カバーが移動している状態を示す図である。
【発明を実施するための形態】
【００１７】
本実施形態では、カバー付き刃物として、刃を収容可能なカバーを備えたカバー付き鎌を例に挙げて説明する。図１は、本実施形態に係るカバー付き刃物としてのカバー付き鎌の一例を示す外観図である。
【００１８】
本実施形態に係るカバー付き鎌１は、図１に示すように、作業者が把持する把持部材２と、把持部材２の一方の端部から当該把持部材２と交差する方向に突出させて設けられた刃部材３と、刃部材３が有する刃３ａを収容可能なカバー４と、把持部材２と刃部材３との連結部分に設けられカバー４を移動させる移動機構５と、を有している。
【００１９】
把持部材２は、丸棒状をなし一方の端部は移動機構５が備えるケース６内に収容されるとともにケース６と一体に固定されている。把持部材２のケース６内に収容されている端部には刃部材３の一端部が固定されている。刃部材３は、鋼製の三日月状をなす板材にて形成され、三日月の内周側の縁に刃３ａが形成されており、把持部材２の長手方向に対して側方に突出するように固定されている。
【００２０】
図２は、移動機構の構成を示す分解斜視図であり、図３は、カバーが収容位置に位置している状態を示す図であり、図４は、カバーが露出位置に位置している状態を示す図である。
【００２１】
図２に示すように、カバー４は、刃部材３とほぼ同じ長さをなし、断面がＵ字状をなす溝４ａを有しており、溝４ａ内に刃部材３の刃３ａが収容可能である。図３に示すように、カバー４の長手方向における一方の端部は、移動機構５が有するケース６内に挿入されており、ケース６内に設けられ刃部材３がなす面と直交する方向に沿うカバー回動軸６ａにて回動可能に設けられている。そして、カバー４は、溝４ａの底側が把持部材２に沿って当接する位置から、溝４ａが刃部材３の刃３ａを収容する位置まで回動可能に設けられている。カバー４が把持部材２に当接された状態では、図４に示すように、カバー４より把持部材２の方が突出しており、把持部材２のカバー４より突出した部位は作業者が把持する把持部２ａとなる。
【００２２】
カバー４は、カバー回動軸６ａに支持されている部位よりも、カバー４の長手方向における中央側の部位にカバーピン４ｂが設けられている。以下の説明においては、カバー４が刃３ａを収容する収容位置Ｘ１から、把持部材２に当接されて刃３ａが露出する露出位置Ｘ２に移動する方向に回動する回動方向を左回動方向とし、露出位置Ｘ２から収容位置Ｘ１に移動する方向に回動する回動方向を右回動方向として説明する。
【００２３】
移動機構５は、把持部材２に固定されているケース６と、カバー回動軸６ａと平行に設けられた移動機構軸６ｂと、移動機構軸６ｂと一体に回動する第１カム７と、第１カム７を回動させる動力をなす渦巻きばね８と、第１カム７と独立して移動機構軸６ｂにて回動可能な第２カム９と、第２カム９の回動を規制する規制部材１０と、ケース６の外側に突出された移動機構軸６ｂの端に一体に設けられ移動機構軸６ｂを回動可能な回動把持部１１と、を有している。ここで、第１カム７が、カバー４が露出位置に移動されることにより回動する回動部材に相当し、第２カム９が、回動部材と同軸に設けられカバー４と係合して回動することによりカバー４を移動させるカムに相当する。
【００２４】
渦巻きばね８は、内周側の端部が移動機構軸６ｂに固定され、外周側の端部がケース６に固定されている。そして、渦巻きばね８は、移動機構軸６ｂと一体に固定された第１カム７及び回動把持部１１を左回動方向に回動した際に移動機構軸６ｂに巻き込まれ、回動把持部１１を離した際に、渦巻きばね８が復元することにより、移動機構軸６ｂ、第１カム７及び回動把持部１１が右回動方向に回動する。第１カム７のカム形状については後述する。
【００２５】
第２カム９は、カバー４に設けられたカバーピン４ｂが回動自在に挿通される係合孔９ａと、カバー４が露出位置Ｘ２、すなわち、溝４ａの底側が把持部材２に沿って当接する位置に配置されたときに、規制部材１０の後述する規制ピン１０ａが係合する規制凹部９ｂとを有している。
【００２６】
規制部材１０は、棒状の規制片１０ｂの一端が回動自在に支持されており、他端に前述した規制ピン１０ａが設けられ、コイルばね１２により付勢されて第２カム９の規制凹部９ｂに係合し第２カム９の右回動方向への回動を規制している。このため、規制凹部９ｂに規制ピン１０ａが係合している状態では、カバーは露出位置Ｘ２に保持されている。
【００２７】
第１カム７には、第２カム９と対向する側に突出する第１突起７ａが設けられており、第２カム９には第１カム７と対向する側に突出する第２突起９ｃが設けられている。回動把持部１１が左回動方向に回動されて、カバー４が露出位置Ｘ２に配置され、渦巻きばね８が巻き込まれた状態では、例えば、図４のように、第１カム７の第１突起７ａが第２突起９ｃよりも右回動方向の先方側に位置している。
【００２８】
図５は、カバーが移動する前に規制部材が解除された状態を示す図であり、図６は、カバーが移動し始める状態を示す図であり、図７は、カバーが移動している状態を示す図である。
【００２９】
渦巻きばね８の復元力により第１カム７が右回動方向に回動していくと、図６に示すように、第１突起７ａが右回動方向の後方側から第２突起９ｃに当接されるように第１突起７ａが配置される。また、第１カム７の外周部には、第１突起７ａが第２突起９ｃに当接する直前に、規制部材１０を引き寄せているコイルばね１２の引張力に抗して規制部材１０の規制ピン１０ａを規制凹部９ｂから第２カム９の外側に解除する解除部７ｂが形成されている。このため、図５に示すように、第１突起７ａが第２突起９ｃに当接する前に、規制部材１０が解除されて第２カム９が回動可能な状態となっている。
【００３０】
更に第１カム７が右回動方向に回動すると、図７に示すように、第１突起７ａが第２突起９ｃと係合して第２カム９が第１カム７とともに回動し始める。このとき、第２カム９の係合孔９ａに回動自在に係合されているカバーピン４ｂの移動に伴ってカバー４が露出位置Ｘ２から収容位置Ｘ１に移動し始める。そして、カバー４が刃部材３に当接されて回動不能になるときには、図３に示すように、刃部材３の刃３ａがカバー４の溝４ａに収容される。以上、説明したように、第１カム７が回動しても第１突起７ａが第２突起９ｃと接触するまでの間は、カバー４は把持部材２と隣接しており、第１突起７ａが第２突起９ｃと接触した後にカバー４が回動して刃部材３側に向かって移動する。
【００３１】
このため、第１突起７ａが第２突起９ｃの後方側にて隣接する位置に至るまで第１カム７が回動する時間が所定時間に相当する。そして、第１突起７ａが第２突起９ｃの後方側にて隣接する位置まで移動する時間は、たとえば摩擦ダンパーやオイルダンパー等により第１カム７が設けられている移動機構軸６ｂが回動する際の負荷を変更することにより調節することが可能である。
【００３２】
そして、再度、回動把持部１１を左回動方向に回動して、カバー４を露出位置Ｘ２に移動することによりカバー付き鎌１が使用可能となり、所定時間後には刃部材３の刃３ａが再びカバー４に収容される。
【００３３】
本実施形態のカバー付き鎌１によれば、回動把持部１１を回して渦巻きばね８を巻き込んだ後に第１カム７の第１突起７ａが第２カム９の第２突起９ｃに接触するまで回動する間はカバー４が把持部材２に当接して刃３ａが露出する使用状態が維持され、第１カム７がほぼ１回転して第１突起７ａが第２突起９ｃに接触した後にはカバー４が移動し、刃３ａを収容することが可能である。このため、カバー付き鎌１が刃物として使用されないときに刃３ａが露出した状態が維持されることを防止するカバー付き鎌１を提供することが可能である。
また、所定時間経過後に継続して刃物として使用する場合には、渦巻きばね８を巻き込む方向に回動把持部１１を回すだけで使用し続けることが可能である。
【００３４】
また、カバー４を回動させる第２カム９の回動を規制する規制部材１０を有しているので、第１カム７が所定量回動する前に誤ってカバー４が回動し始めることを防止することが可能である。このとき、規制部材１０により第２カム９の回動が規制されている間は刃３ａが露出している状態を維持しておくことが可能なので、刃物として使用することが可能である。
【００３５】
また、規制部材１０は、第１突起７ａと第２突起９ｃとが係合する前に解除部７ｂにより係合が解除されるので、確実にカバー４を回動させることが可能である。
【００３６】
上記実施形態にておいては、機構により所定時間経過後にカバー４が刃３ａを収容する例について説明したが、これに限るものではない。たとえば、制御部により制御されるモータにより回動するカバーを有し、制御部が備えるタイマーが外部から操作可能なダイヤル等によりセットされることにより所定時間後にカバーが回動し始めて刃が収容される構成であっても構わない。
【００３７】
また、第１突起７ａと第２突起９ｃとが係合した際に、第１カム７の回動によりカバー４が回動するので、カバー４は緩やかに把持部材２から離れていく。このため、カバー４が把持部材２から離れ始める移動開始動作によりカバー４が収容位置Ｘ１に移動する旨を作業者に報知することが可能である。すなわち、本実施形態においてはカバー４が報知部に相当する。このとき、カバー４の移動開始動作が生じて認識可能となった後に、カバー４の移動速度が速くなるように構成しても構わない。
【００３８】
この場合には、カバー４が収容位置Ｘ１に移動する旨が報知された後の方が、報知される前より速く移動するので、報知されてカバー４が収容位置Ｘ１に移動することが作業者に認識された後に、カバー４の移動速度を高めることにより、誤って刃３ａとカバー３との間に挟まれる可能性を低減するとともに、より短時間でカバー４により刃３ａを収容することが可能である。
【００３９】
また、報知部は、カバー４の移動開始動作に限らず、例えば、第１カム７が回動して接触する第１突起７ａと第２突起９ｃとにそれぞれ電極を備えたブザーを設け、第１突起と第２突起とが接触してブザーが鳴ることによりカバーが収容位置に移動する旨を報知する構成であっても構わない。
また、本実施形態においては、刃物として鎌を例に挙げて説明したが、刃物はのこぎり等であっても構わない。
【００４０】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４１】
１  鎌
２  把持部材
２ａ  把持部
３  刃部材
３ａ  刃
４  カバー
４ａ  溝
４ｂ  カバーピン
５  移動機構
６  ケース
６ａ  カバー回動軸
６ｂ  移動機構軸
７  第１カム
７ａ  第１突起
７ｂ  解除部
８  渦巻きばね
９  第２カム
９ａ  係合孔
９ｂ  規制凹部
９ｃ  第２突起
１０  規制部材
１０ａ  規制ピン
１０ｂ  規制片
１１  回動把持部
１２  コイルばね
Ｘ１  収容位置
Ｘ２  露出位置
【図１】
2018082654.tif 000003
【図２】
2018082654.tif 000004
【図３】
2018082654.tif 000005
【図４】
2018082654.tif 000006
【図５】
2018082654.tif 000007
【図６】
2018082654.tif 000008
【図７】
2018082654.tif 000009